(57)【要約】【課題】設置状態において前後列に並べて配置可能な什器において、前記什器を前後列に並べて配置した際に、それらの脚部材について、通行者の足等との衝突を抑制する。【解決手段】什器Ａは、前後方向および左右方向に沿って広がる水平部Ｂと、水平部Ｂを支持する脚部Ｃとを備える。脚部Ｃは、左右一対の支持脚５，５を有する。支持脚５は、前方へ延びる前脚部６と、後方へ延びる後脚部７とを有する。平面視で、前脚部６と後脚部７で形成される角度は鈍角であり、前脚部６の基端６Ｂ及び後脚部７の基端７Ｂは、水平部Ｂの左右方向の端部Ｄ近傍に位置し、後脚部７の先端７Ａは、前脚部６の先端６Ａよりも左右方向の内方に位置する。【選択図】図３
2020198966.tif 000002
【特許請求の範囲】
【請求項１】
前後方向および左右方向に沿って広がる水平部と、
前記水平部を支持する脚部と、
を備え、
前記脚部は、左右一対の支持脚を有し、
前記支持脚は、
前方へ延び、先端、又は先端に設けた接地部材が接地する前脚部と、
後方へ延び、先端、又は先端に設けた接地部材が接地する後脚部と、
を有し、
平面視で、前記前脚部と前記後脚部で形成される角度は鈍角であり、
前記前脚部の基端及び前記後脚部の基端は、前記水平部の左右方向の端部近傍に位置し、
前記後脚部の先端は、前記前脚部の先端よりも左右方向の内方に位置する、
什器。
【請求項２】
前記脚部は、前記前脚部の基端及び前記後脚部の基端の間で上方へ延びて前記水平部を支持する支持部をさらに備える、
請求項１に記載の什器。
【請求項３】
前記脚部は、前記水平部と前記支持部との間に配置されて前記水平部を下方から支持する、左右方向に長い支持体をさらに備え、
前記支持部は、前記支持体の左右方向の端部又は前記端部の近傍部分に位置する、
請求項２に記載の什器。
【請求項４】
前記左右一対の支持脚は、入れ替え可能な同一部品である、
請求項１〜３の何れか１項に記載の什器。
【請求項５】
前記前脚部と前記後脚部とは一体である、
請求項１〜４の何れか１項に記載の什器。
【請求項６】
前記什器は、椅子であり、
前記水平部は、当該椅子の座部である、
請求項１〜５の何れか１項に記載の什器。
【請求項７】
前記椅子は、複数人がけであり、
前記座部は、前後方向よりも左右方向が長い、
請求項６に記載の什器。
【発明の詳細な説明】
【技術分野】
【０００１】
本発明は、什器に関する。
【背景技術】
【０００２】
設置状態において前後列に並べて配置可能な什器が知られている。例として、役所、金融機関、病院、駅、空港等の待合室に設置される長椅子がある（例えば、特許文献１参照）。また、他の例として、講義室や教室等に設置される机がある（例えば、特許文献２、３参照）。
【先行技術文献】
【特許文献】
【０００３】
【特許文献１】特開２０１７−１０４３５１号公報
【特許文献２】特許第４９６８９８６号公報
【特許文献３】登録実用新案第３１５９６５７号公報
【発明の概要】
【発明が解決しようとする課題】
【０００４】
このような什器を前後列に複数並べて配置した際には、前後の什器同士の間の空間が通路になる。そのため、什器の脚部材について、前記通路を通る通行者の足等との衝突、及び前記通路を清掃する作業者が操作する清掃具等との衝突等に配慮する必要がある。
【０００５】
そこで、本発明は、設置状態において前後列に並べて配置可能な什器において、前記什器を前後列に並べて配置した際に、それらの脚部材について、前記衝突を抑制することを目的とする。
【課題を解決するための手段】
【０００６】
本発明の要旨は以下の通りである。
〔１〕前後方向および左右方向に沿って広がる水平部と、
前記水平部を支持する脚部と、
を備え、
前記脚部は、左右一対の支持脚を有し、
前記支持脚は、
前方へ延び、先端、又は先端に設けた接地部材が接地する前脚部と、
後方へ延び、先端、又は先端に設けた接地部材が接地する後脚部と、
を有し、
平面視で、前記前脚部と前記後脚部で形成される角度は鈍角であり、
前記前脚部の基端及び前記後脚部の基端は、前記水平部の左右方向の端部近傍に位置し、
前記後脚部の先端は、前記前脚部の先端よりも左右方向の内方に位置する、
什器。
【０００７】
〔２〕前記脚部は、前記前脚部の基端及び前記後脚部の基端の間で上方へ延びて前記水平部を支持する支持部をさらに備える、
前記〔１〕に記載の什器。
【０００８】
〔３〕前記脚部は、前記水平部と前記支持部との間に配置されて前記水平部を下方から支持する、左右方向に長い支持体をさらに備え、
前記支持部は、前記支持体の左右方向の端部又は前記端部の近傍部分に位置する、
前記〔２〕に記載の什器。
【０００９】
〔４〕前記左右一対の支持脚は、入れ替え可能な同一部品である、
前記〔１〕〜前記〔３〕の何れかに記載の什器。
【００１０】
〔５〕前記前脚部と前記後脚部とは一体である、
前記〔１〕〜前記〔４〕の何れかに記載の什器。
【００１１】
〔６〕前記什器は、椅子であり、
前記水平部は、当該椅子の座部である、
前記〔１〕〜前記〔５〕の何れかに記載の什器。
【００１２】
〔７〕前記椅子は、複数人がけであり、
前記座部は、前後方向よりも左右方向が長い、
前記〔６〕に記載の什器。
【発明の効果】
【００１３】
本発明に係る什器によれば、設置状態において前後列に並べて配置される場合において、それらの支持脚について、前後の什器間の通路を通る通行者の足等との衝突、及び前記通路を清掃する作業者が操作する清掃具等との衝突等を抑制できる。
【図面の簡単な説明】
【００１４】
【図１】本発明の実施の形態に係る什器の一例である長椅子を示す斜視図である。
【図２】長椅子の右側面図である。
【図３】座部及び背凭れ部を仮想線とした長椅子の平面図である。
【図４】長椅子の底面図である。
【図５】座部及び背凭れ部を仮想線とした長椅子の支持脚を示す要部拡大平面図である。
【図６】前後列に並べて配置した長椅子の斜視図である。
【図７】座部及び背凭れ部を仮想線とした、前後列に並べて配置した長椅子の平面図である。
【図８】前後の長椅子を当接させた収納状態を示す右側面図である。
【図９】変形例の一例である肘掛けを備えた長椅子の斜視図である。
【発明を実施するための形態】
【００１５】
次に、添付図面に示した実施の形態に基づき、本発明を更に詳細に説明する。
本発明における什器は、複数人がけの長椅子、若しくは一人がけの椅子、又は複数人で使用するテーブルや一人で使用する机等であり、水平部、及び水平部を支持する脚部を備える。前記長椅子及び前記椅子には、背凭れが有っても無くてもよい。
水平部を支持する脚部は、水平部を直接的に支持する場合と、水平部を間接的に支持する場合とがある。
【００１６】
以下の実施の形態においては、本発明における什器の一例として、複数人がけの長椅子について説明する。
本明細書においては、長椅子に座った状態の使用者を基準として、使用者の前方（図中矢印Ｆ参照）を前、その反対方向を後、使用者の左右を左右とし、前方から見た図を正面図とする。
【００１７】
＜什器＞
図１の斜視図、図２の右側面図、図３の平面図、及び図４の底面図に示すように、本発明の実施の形態に係る什器Ａである複数人がけの長椅子１は、前後方向および左右方向に沿って広がる水平部Ｂと、水平部Ｂを支持する脚部Ｃとを備える。
【００１８】
長椅子１は、水平部Ｂである座部３、及び背凭れ部４を含む本体部２、並びに脚部Ｃを構成する左右一対の支持脚５，５を有する。
長椅子１の座部３は、前後方向よりも左右方向が長く、長椅子１の背凭れ部４は、上下方向よりも左右方向が長い。
【００１９】
＜本体部＞
図１の斜視図、及び図２の右側面図に示すように、本体部２の座部３及び背凭れ部４において、座面３Ａ及び背面４Ａはシームレスに繋がっている。それにより、優れた清掃性を有する。
その上、座部３及び背凭れ部４を、使用者の臀部や背中の下部を支持する内側部分はクッションの厚みを大きくし、周辺部分のクッションの厚みを小さくしている。また、座面３Ａ及び背面４Ａを、人体に合わせた滑らかな形状としてフィット感を向上している。それらにより、製造コストを低減しながら、使用者の座り心地を向上するとともに、スマートな外観を実現している。
【００２０】
図２に示す座面３Ａの前後方向長さ（座面奥行）Ｈ、及び座面３Ａの左右方向長さ（座面幅）をコンパクトに抑えている。それにより、省スペースであるので、図６の斜視図、及び図７の平面図にように長椅子１，１，…を前後列に並べて配置した際に、設置スペースを小さくできる。あるいは、前後の長椅子１，１間の通路Ｉの幅や、長椅子１，１，…の左右の通路の幅を大きくできる。
【００２１】
＜脚部＞
図１の斜視図、図２の右側面図、図３の平面図、及び図４の底面図に示すように、脚部Ｃを構成する支持脚５は、前方Ｆへ延び、先端６Ａに設けた接地部材Ｇ１が接地する前脚部６と、後方へ延び、先端７Ａに設けた接地部材Ｇ２が接地する後脚部７とを有する。
支持脚５において、接地部材Ｇ１，Ｇ２を無くして、前脚部６の先端６Ａ及び後脚部７の先端７Ａを直接接地させるようにしてもよい。
【００２２】
脚部Ｃは、さらに、前脚部６の基端６Ｂ及び後脚部７の基端７Ｂから上方へ延びる支持部８、及び、座部３と支持部８との間に配置されて座部３を下方から支持する、左右方向に長い支持体９を備える。
左右の支持部８，８は、本実施の形態では、支持体９の左右方向の端部９Ａ，９Ｂの近傍部分の下面に取り付けている。支持部８，８を、支持体９の左右方向の端部９Ａ，９Ｂに対して、直接的又は間接的に、左右方向の外方から取り付けるようにしてもよい。
【００２３】
支持部８は、前脚部６の基端６Ｂ及び後脚部７の基端７Ｂから上方へ延びている。すなわち、支持部８は、平面視において、支持脚５の屈曲部分に配置されている。
なお、支持脚８は、左右それぞれに１つずつ配置されているが、支持部８が左右それぞれに複数配置される場合と比較して、部品点数低減が図られており、コスト低減に寄与している。
【００２４】
支持体９の上面に、座部３の下面３Ｂ（図２）に取り付けた支持金具２Ａ，２Ａ，…を固定する。
脚部Ｃの支持体９は、支持金具２Ａ，２Ａ，…を介して、水平部Ｂである座部３を含む本体部２を支持する。
脚部Ｃの左右の支持部８，８は、支持体９、及び支持金具２Ａ，２Ａ，…を介して、水平部Ｂである座部３を含む本体部２を支持する。
【００２５】
支持部８，８を無くし、支持脚５の高さを高くして、前脚部６の基端６Ｂ及び後脚部７の基端７Ｂを、支持体９の端部９Ａ，９Ｂ又は端部９Ａ，９Ｂの近傍部分の下面に直接取り付けてもよい。
支持金具２Ａ，２Ａ，…を無くし、支持体９の上面に座部３の下面３Ｂ（図２）を直接取り付けてもよい。その場合、支持脚５の高さをさらに高くしてもよい。
【００２６】
あるいは支持体９も無くし、前脚部６の基端６Ｂ及び後脚部７の基端７Ｂの上面に座部３の下面３Ｂ（図２）を直接取り付けてもよい。その場合、支持脚５の高さをさらに高くしてもよい。
ただし、左右方向に長い支持体９を脚部Ｃが備えることにより、長椅子１の本体部２を支持する構造部材の強度及び剛性が高くなる。
【００２７】
＜前脚部及び後脚部の形態＞
次に、支持脚５を構成する前脚部６及び後脚部７の形態について説明する。
図３の平面図、及び図５の要部拡大平面図に示すように、前脚部６と後脚部７で形成される形態は、平面視で略「く」の字状又は略「へ」の字状であり、前脚部６及び後脚部７間で屈曲している。
そして、平面視で、図５に示す前脚部６と後脚部７で形成される角度θは鈍角である。例えば、角度θは、１２０°≦θ≦１６０°とする。但し、角度θは必ずしもこれに限定されず、鈍角である限り適宜変更が可能である。
【００２８】
前脚部６の基端６Ｂ及び後脚部７の基端７Ｂ、並びに支持部８は、水平部Ｂである座部３の左右方向の端部Ｄの近傍に位置し、後脚部７の先端７Ａは、前脚部６の先端６Ａよりも左右方向の内方に位置する。
本発明の目的は、前記のとおり、脚部Ｃにおいて、前後の長椅子１，１間の通路Ｉ（図６及び図７）を通る通行者の足等との衝突等を抑制することである。その上で、脚部Ｃにより、長椅子１の安定性をより向上することが好ましい。
よって、前脚部６の基端６Ｂ及び後脚部７の基端７Ｂ、並びに支持部８が位置する、前記「端部Ｄの近傍」とは、前記本発明の目的に鑑み、端部Ｄよりも左右方向の内方であり、端部Ｄに近い位置のことである。「端部Ｄの近傍」は、少なくとも、座部３の左右方向の中央部分と端部Ｄとの間の中間位置に対する距離よりも、端部Ｄに対する距離が小さくなる位置である。
【００２９】
＜前脚部及び後脚部の構造＞
図２の右側面図、図３の平面図、及び図４の底面図に示すように、前脚部６と後脚部７とは一体に構成される。前脚部６と後脚部７とは、形状及び寸法が略同一である。
前脚部６と後脚部７により構成される支持脚５は、左方の支持脚５と右方の支持脚５とを入れ替え可能である。すなわち、左右一対の支持脚５，５は、入れ替え可能な同一部品であるので、製造コスト及び管理コストを低減できる。
ただし、要求仕様等に合わせて、前脚部６と後脚部７の長さを変える等、左右の支持脚を別部品としてもよい。
【００３０】
＜什器を前後列に並べて配置した設置状態＞
次に、什器Ａである複数人がけの長椅子１を、前後列に並べて配置した設置状態について説明する。
図６の斜視図、及び図７の平面図に示す、長椅子１，１，…を、前後列に並べて配置した設置状態では、前後の長椅子１，１同士の間の空間が通路Ｉになる。
【００３１】
左右一対の支持脚５，５において、前記のとおり、前脚部６と後脚部７で形成される角度θ（図５）が平面視で鈍角であり、前脚部６の基端６Ｂ及び後脚部７の基端７Ｂは、長椅子１の座部３の左右方向の端部Ｄの近傍に位置し、後脚部７の先端７Ａは、前脚部６の先端６Ａよりも左右方向の内方に位置する（図３、図５）。
それにより、図６及び図７のような設置状態において、使用者が長椅子１に着座する際における脚入れが良くなるとともに、通路Ｉに入る通行者等の脚抜けが良くなる。
例えば、左右一対の支持脚５，５について、通路Ｉを通る通行者の足等との衝突、通路Ｉを通って長椅子１に座る使用者の足等との衝突、及び通路Ｉを清掃する作業者が操作する清掃具等との衝突を抑制できる。
【００３２】
また、左右一対の支持脚５，５において、前記のとおり、前脚部６の基端６Ｂ及び後脚部７の基端７Ｂは、長椅子１の座部３の左右方向の端部Ｄの近傍に位置する。それにより、本実施の形態における左右一対の支持脚５，５が座部３を支持する位置は、特許文献１における支持脚（脚部材１６）が水平部（座体３）を支持する位置よりも左右方向の外方にある。
【００３３】
したがって、座部３の左右方向の端部Ｄの近傍に使用者が着座する場合等、座部３の左右方向の端部Ｄの近傍に荷重が作用する場合、支持脚５が座部３を支持する位置と荷重が作用する位置との距離は、本実施の形態の方が特許文献１に記載された発明よりも小さくなる。
それにより、座部３の左右方向の端部Ｄの近傍に荷重が作用する場合において、支持脚５に作用する左右方向外方への倒れモーメントを小さくできる。
よって、長椅子１の安定性を向上できる。
【００３４】
＜収納状態＞
次に、什器Ａである複数人がけの長椅子１の収納状態について説明する。
図８の右側面図に示すように、前後の長椅子１，1を当接させた収納状態では、前側の椅子１の後脚部７，７は、後側の椅子１の前脚部６，６の左右方向の内方に位置し、前側の椅子１の後脚部７，７と後側の椅子１の前脚部６，６とは干渉しない（図７も参照）。
このような収納状態では、前側の椅子１の前面Ｊと高さが同じである後面Ｋに、後側の椅子１の前面Ｊが当接し、前記のように座面奥行Ｈ（図２）をコンパクトに抑えていることとも相俟って、収納状態における長椅子１，１，…の省スペース化を図ることができる。
【００３５】
＜安定性向上機能＞
従来、設置状態において前後列に並べて配置可能な什器の例として、役所、金融機関、病院、駅、空港等の待合室に設置される椅子がある。このような長椅子は、当該長椅子を前後列に並べて配置した際における前後の長椅子同士の間の空間が通路になる。
そのため、長椅子の脚部材について、前記通路を通る通行者の足等との衝突、前記通路を通って長椅子に座る使用者の足等との衝突、及び前記通路を清掃する作業者が操作する清掃具等との衝突に配慮する必要がある。
そこで、例えば、椅子本体を支持する脚部材を、前後方向の鉛直面に沿う前脚、及び前後方向の鉛直面に沿う後脚等で構成し、後脚を、前脚に対して左右方向内方へオフセットさせることで、前記衝突を抑制することが考えられる。
【００３６】
一方、座体の左右端部近傍に使用者が着座する場合等、座体（水平部）の左右端部近傍に荷重が作用する場合においては、脚部材が座体を支持する位置よりも左右方向外方に荷重が作用し、脚部材が座体を支持する位置と前記荷重が作用する位置との距離が比較的大きくなる場合がある。その場合、脚部材に作用する左右方向外方への倒れモーメントが大きくなるので、長椅子（什器）の安定性が損なわれる懸念がある。
【００３７】
上記実施形態では、左右一対の支持脚５，５において、前脚部６と後脚部７で形成される角度θ（図５）が平面視で鈍角である。これに関連して、前脚部６及び後脚部７を、平面視で長椅子１の座部３の左右方向の端部Ｄに近づけて配置することが可能となっている。特に、平面視で前脚部６と後脚部７で形成される角度θ（図５）が鈍角であることに関連して、後脚部７の先端７Ａを前脚部６の先端６Ａよりも左右方向の内方に位置させつつ、前脚部６の基端６Ｂ及び後脚部７の基端７Ｂは、長椅子１の座部３の左右方向の端部Ｄの近傍に位置させることが可能となっている。
【００３８】
したがって、長椅子１の安定性が向上している。特に、例えば座部３の左右方向の端部Ｄの近傍に使用者が着座する場合等、座部３の左右方向の端部Ｄの近傍に荷重が作用する場合に、支持脚５が座部３を支持する位置と荷重が作用する位置との距離が小さくなるように構成されている。このため、座部３の左右方向の端部Ｄの近傍に荷重が作用する場合において、支持脚５に作用する左右方向外方への倒れモーメントを小さくできる。
【００３９】
＜変形例＞
（１）
長椅子１は、図９の斜視図に示すように、肘掛けＥ，Ｅ，…を備えたものであってもよい。図９の長椅子１において、脚部Ｃは、図１の長椅子１と同じものである。
このような肘掛けＥ，Ｅ，…を備えた長椅子１においては、長椅子１の左右方向最外部の肘掛けＥに荷重が作用する場合には、支持脚５に対して左右方向外方への倒れモーメントが作用する。
【００４０】
そのような場合であっても、左右一対の支持脚５，５において、前記のとおり、前脚部６の基端６Ｂ及び後脚部７の基端７Ｂが、長椅子１の座部３の左右方向の端部Ｄの近傍に位置することから、左右一対の支持脚５，５が座部３を支持する位置は、特許文献１における支持脚（脚部材１６）が水平部（座体３）を支持する位置よりも左右方向の外方にある。
よって、左右方向最外部の肘掛けＥに荷重が作用しても、支持脚５に作用する左右方向外方への倒れモーメントを小さくできるので、長椅子１の安定性を向上できる。
【００４１】
（２）
上記実施形態における前脚部６の基端６Ｂ及び後脚部７の基端７Ｂ、並びに支持部８は、水平部Ｂである座部３の左右方向の端部Ｄの近傍に位置しているが、これらのいずれか又は全ては、少なくとも部分的に平面視で端部Ｄに重畳するように配置されていてもよい。
【００４２】
（３）
上記実施形態における支持部８は、前脚部６の基端６Ｂ及び後脚部７の基端７Ｂから上方へ延びている。しかし、支持部８は、前脚部６の基端６Ｂ及び後脚部７の基端７Ｂの間から上方へ延びていればよい。例えば、支持部８は、前脚部６の基端６Ｂ及び後脚部７の基端７Ｂの一方又は双方と重畳している必要はない。
【００４３】
（４）
上記実施形態では、前脚部６と後脚部７とは一体に構成されている。但し、前脚部６と後脚部７とは別体に構成されてもよい。その場合、前脚部６と後脚部７とは、別部材である連結手段を用いて連結されてもよい。
【００４４】
（５）
上記実施形態では、前脚部６と後脚部７とは形状及び寸法が略同一である。しかし、必ずしもこれに限定されず、前脚部６と後脚部７とは形状及び寸法が異なっていてもよい。
【００４５】
（６）
上記実施形態では、左方の支持脚５と右方の支持脚５とを入れ替え可能である。しかし、必ずしもこれに限定されず、左方の支持脚５と右方の支持脚５とは、入れ替え不能に構成されてもよい。
【００４６】
以上の実施の形態の記載はすべて例示であり、これに制限されるものではない。本発明の範囲から逸脱することなく種々の改良及び変更を施すことができる。
例えば、本開示の思想は、長椅子以外の什器にも適用可能である。例えば、本開示の思想は、一人がけの椅子にも適用可能である。また例えば、本開示の思想は、複数人で使用するテーブルや一人で使用する机等にも適用可能である。係る場合、「水平部」は、机やテーブルの天板であってもよい。
また、例えば、本開示の思想は、椅子や机以外の什器にも適用可能である。例えば、本開示の思想は、物を載置するための台や棚にも適用可能である。係る場合、「水平部」は、物を載置するための載置部分であってもよい。
【符号の説明】
【００４７】
１  長椅子
２  本体部
２Ａ  支持金具
３  座部
３Ａ  座面
３Ｂ  下面
４  背凭れ部
４Ａ  背面
５  支持脚
６  前脚部
６Ａ  先端
６Ｂ  基端
７  後脚部
７Ａ  先端
７Ｂ  基端
８  支持部
９  支持体
９Ａ，９Ｂ  左右方向の端部
Ａ  什器
Ｂ  水平部
Ｃ  脚部
Ｄ  左右方向の端部
Ｅ  肘掛け
Ｆ  前方
Ｇ１，Ｇ２  接地部材
Ｈ  座面の前後方向長さ（座面奥行）
Ｉ  通路
Ｊ  前面
Ｋ  後面
θ  前脚部と後脚部で形成される角度
【図１】
2020198966.tif 000003
【図２】
2020198966.tif 000004
【図３】
2020198966.tif 000005
【図４】
2020198966.tif 000006
【図５】
2020198966.tif 000007
【図６】
2020198966.tif 000008
【図７】
2020198966.tif 000009
【図８】
2020198966.tif 000010
【図９】
2020198966.tif 000011